(57)【要約】【課題】  見た目が普通のスカートと大して変わりがなく、診察を受ける際に露呈する下半身が人目に触れるのを極力避けることができかつ診察の際にも容易に恥部から除くことができさほど邪魔にならずしかも着脱に便利なスカートを提供する。【解決手段】  本発明のスカート１は、受診の際に用いられ得るものであってかつ下半身を裸にして身に着けるものであり、ウエスト部開口６はウエスト締め用の紐状体５を有し、前側は上方で互いに重なり合わされた内面部３と外面部４とからなる重なり部分とされ、脚部開口８は前側が上方から下方に向かうに伴って内面部３と外面部４との重なりが漸次解放され、両脚を閉じた状態で外面部３により被覆されかつ両脚を横に拡げるに伴って外面部４から漸次露呈して下腹部の恥部を隠蔽する位置に移動する下腹部隠蔽片１０が内面部３に折り曲げ可能に設けられている。【選択図】  図２
2004204419.tif 000002
【特許請求の範囲】
【請求項１】
受診の際に用いられ得るものでありかつ下半身を裸にして身に着けるスカートであって、ウエスト部開口はウエスト締め用の紐状体を有し、前側は上方で互いに重なり合わされた内面部と外面部とからなる重なり部分とされ、脚部開口は前側が上方から下方に向かうに伴って前記内面部と前記外面部との重なりが漸次解放され、両脚を閉じた状態で前記外面部により被覆されかつ前記両脚を横に拡げるに伴って前記外面部から漸次露呈して下腹部の恥部を隠蔽する位置に移動する下腹部隠蔽片が前記内面部に折り返し可能に設けられていることを特徴とするスカート。
【請求項２】
前記紐状体は糸状ゴムであり、該糸状ゴムは前記ウエスト部開口の周縁部に沿って設けられていることを特徴とする請求項１に記載のスカート。
【請求項３】
前記ウエスト部開口の周縁部に沿ってギャザーが形成されていることを特徴とする請求項２に記載のスカート。
【請求項４】
前記下腹部隠蔽片は前記内面部に縫合されていることを特徴とする請求項１に記載のスカート。
【請求項５】
前記下腹部隠蔽片は前記内面部の周縁に連続して移行していることを特徴とする請求項１に記載のスカート。
【請求項６】
前記下腹部隠蔽片は前記下腹部にフィットするように前記内面部から前記下腹部隠蔽片への移行部分に切り込みが入れられていることを特徴とする請求項４又は請求項５に記載のスカート。
【請求項７】
ウエスト部開口にウエスト締め用の紐状体が設けられ、前側が上方で互いに重なり合わされた内面部と外面部とからなる重なり部分とされ、脚部開口は前側が上方から下方に向かうに伴って前記内面部と前記外面部との重なりが解放され、両脚を閉じた状態で前記外面部により被覆されかつ前記両脚を横に拡げるに伴って前記外面部から露呈して下腹部の恥部を隠蔽する下腹部隠蔽片が前記内面部に折り曲げ可能に設けられて下半身を裸にして身に着けるスカートの製作方法であって、
中央部分が後側となりかつ該中央部分を境にして左方の仮想重ね合わせ線と右方の仮想重ね合わせ線とが互いに重なり合う左辺部と右辺部とが前側とされしかも前記左辺部と前記右辺部とのいずれか一方に前記下腹部隠蔽片が形成されるスカート形成用布を準備する工程と、
前記仮想重ね合わせ線を重ね合わせて前側が重なり合いかつ前記ウエスト部開口と前記脚部開口とが略同一サイズの寸胴形状体を形成する工程と、
前記ウエスト部開口に前記紐状体を設けることにより前記ウエスト部開口が前記脚部開口よりも狭められてかつ前記スカートをはく前の状態で前記下腹部隠蔽片が前記外面部に隠蔽されたスカートを製作する工程とを含むことを特徴とするスカートの製作方法。
【請求項８】
前記下腹部隠蔽片を前記スカート形成用布に縫合することを特徴とする請求項７に記載のスカートの製作方法。
【請求項９】
前記紐状体を前記ウエスト部開口に沿って設けつつギャザーを形成することを特徴とする請求項７に記載のスカートの製作方法。
【発明の詳細な説明】
【技術分野】
【０００１】
本発明は、医療用のスカートに関し、更に詳しくはスカート及びその製作方法に関する。
【背景技術】
【０００２】
従来から、介護者用のスカートとして、上方のウエスト部開口と下方の脚部開口とが略同一サイズで前側を重なり合わせ、ウエスト部開口に紐状体としてのゴム状紐を設け、下方のスカート部分が歩行の際に開くようにしたものが知られている（例えば、特許文献１参照。）。
【０００３】
また、受診用のスカートとしては、前側に前垂れ部分を設けて、診察待ちの間は、下半身の恥部を隠蔽し、前垂れ部分をまくって診察を行うことができるようにしたものも知られている（例えば、特許文献２参照。）。
【０００４】
更に、着衣用のスカートとしては、三角形状の防護布片又は四角形状の防護布片を裏地に取付け、椅子、ベンチ等に着座したときに、スカートと膝との隙間から下着が見えるのを防止する、スカートの変形による両大腿部とスカートの間の隙間から下着が見えるのを防止する等の工夫を行うようにしたものも知られている（例えば、特許文献３参照。）。
【特許文献１】実開平４−９７８０２号公報
【特許文献２】登録実用新案第３０８９３１０号
【特許文献３】実開平４−２１５０６号公報
【発明の開示】
【発明が解決しようとする課題】
【０００５】
ところで、医療機関での婦人の下腹部の診療・診察では、受診者はその下半身を医師に露呈させて診察を受けなければならないが、下半身を被覆する衣類を脱いでから診察台に上がって診察を受けるまでに時間がかかり過ぎるような場合、その間、下半身を露呈したまま診察を待っていなければならず、人の目に触れるのが気になり、少なからず恥ずかしい思いをする場合がある。
【０００６】
ワンピース・スカート等の私服を着て診療・診察を受ける場合には、診察を待っている間は下半身の露出を防ぐことができ、恥ずかしい思いをしないでもすむことはすむと思えるが、診察を受ける際に衣類に汚れが付着しないように気遣う必要があり、しかも衛生面においても好ましくないため、私服を着たまま診察を受けるのも気のすすまない思いをするものである。
【０００７】
また、医療機関では、人目が気にならないようにするため診察室に仕切りカーテンが設けられてはいるが、受診者が診察台へ上がったり、診察台から降りたりする際にはその昇り降りをスムーズに行うことができるように、看護士が仕切りカーテンをたくしあげることがあり、人目がことさら気になる受診者にとっては必ずしも芳しくない。
【０００８】
更に、先に提案されている受診用のスカートは、見た目が普通のスカートと一見して異なり、見栄えの観点で好ましくない。
【０００９】
本発明は、上記の事情に鑑みて為されたもので、見た目が普通のスカートと大して変わりがなく、診察を受ける際に露呈する下半身が人目に触れるのを極力避けることができかつ診察の際にも容易に恥部から除くことができさほど邪魔にならずしかも着脱に便利なスカート及びその製作方法を提供することを目的とする。
【課題を解決するための手段】
【００１０】
請求項１に記載のスカートは、受診の際に用いられ得るものでありかつ下半身を裸にして身に着けるものであり、ウエスト部開口はウエスト締め用の紐状体を有し、前側は上方で互いに重なり合わされた内面部と外面部とからなる重なり部分とされ、脚部開口は前側が上方から下方に向かうに伴って前記内面部と前記外面部との重なりが漸次解放され、両脚を閉じた状態で前記外面部により被覆されかつ前記両脚を横に拡げるに伴って前記外面部から漸次露呈して下腹部の恥部を隠蔽する位置に移動する下腹部隠蔽片が前記内面部に折り返し可能に設けられていることを特徴とする。
【００１１】
その紐状体は糸状ゴムであるのが望ましく、この糸状ゴムはウエスト部開口の周縁部に沿って設けられる。
【００１２】
そのウエスト部開口にはその周縁部に沿ってギャザーが形成される。
【００１３】
その下腹部隠蔽片はその内面部に縫合して形成しても良いし、内面部周縁から下腹部隠蔽片に連続して移行するように形成しても良い。下腹部隠蔽片を内面部に縫合することにすれば、布の切れ端を利用できるのでコストの低減を図ることができる。
【００１４】
また、その下腹部隠蔽片は内面部から下腹部隠蔽片への移行部分に切り込みを入れるのがより望ましい。この切り込みを入れることにより、下腹部隠蔽片を下腹部に容易にフィットさせることができる。
【００１５】
請求項７に記載のスカートの製作方法は、ウエスト部開口にウエスト締め用の紐状体が設けられ、前側が上方で互いに重なり合わされた内面部と外面部とからなる重なり部分とされ、脚部開口は前側が上方から下方に向かうに伴って前記内面部と前記外面部との重なりが解放され、両脚を閉じた状態で前記外面部により被覆されかつ前記両脚を横に拡げるに伴って前記外面部から露呈して下腹部の恥部を隠蔽する下腹部隠蔽片が前記内面部に折り曲げ可能に設けられて下半身を裸にして身に着けるスカートを製作する方法であって、
中央部分が後側となりかつ該中央部分を境にして左方の仮想重ね合わせ線と右方の仮想重ね合わせ線とが互いに重なり合う左辺部と右辺部とが前側とされしかも前記左辺部と前記右辺部とのいずれか一方に前記下腹部隠蔽片が形成されるスカート形成用布を準備する工程と、前記仮想重ね合わせ線を重ね合わせて前側が重なり合いかつ前記ウエスト部開口と前記脚部開口とが同一サイズの寸胴形状体を形成する工程と、前記ウエスト部開口に前記紐状体を設けることにより前記ウエスト部開口が前記脚部開口よりも狭められてかつ前記スカートをはく前の状態で前記下腹部隠蔽片が前記外面部に隠蔽されたスカートを製作する工程とを含むことを特徴とする。
【００１６】
その下腹部隠蔽片はスカート形成用布に縫合することにより形成され、ギャザーは紐状体をウエスト部開口に沿って設けることにより形成される。
【発明の効果】
【００１７】
本発明に係わるスカートによれば、見た目が普通のスカートと大して変わりがなく、診察を受ける際に露呈する下半身が人目に触れるのを極力避けることができかつ診察の際にも容易に恥部から除くことができさほど邪魔にならずしかも着脱に便利であるという効果を奏する。
【００１８】
すなわち、診察を受ける際の待ち時間の間、両脚を閉じていればスカートによって下腹部が露呈するのが防止され、不用意に両脚を開いたとしても下腹部隠蔽片が恥部に移動してその露出を防ぐので、人目が気になるのを軽減できる。
【００１９】
また、診察の際には、スカートの前側でかつ下方部分があらかじめ開いているので、医師は下腹部隠蔽片に手を差し延べてこれを容易に折り返して恥部から除くことができ、さほど下腹部隠蔽片が邪魔にならずに診察を行うことができる。
【００２０】
本発明に係わるスカートの製作方法によれば、一枚のスカート形成用布片に簡単な加工を施して、スカートを製作できるという効果を奏する。
【発明を実施するための最良の形態】
【００２１】
以下に図面を参照しつつ実施例を説明する。
【実施例】
【００２２】
図１は本発明の実施の形態に係わるスカート１の外観図であり、受診者がはく前の状態を示している。
【００２３】
このスカート１は、受診の際に下半身を裸にして身に着け、下半身の露呈を防止するためのものである。このスカート１はその前側２が上方で重なり合う内面部３と外面部４とからなる重なり部分を有する。そのスカート１の上部はウエスト締め用の紐状体５が設けられてウエスト部開口６とされている。そのウエスト部開口６にはその周縁部にギャザー７が形成されている。その紐状体５にはここでは糸状ゴムが用いられる。
【００２４】
そのスカート１は、前側が下方に向かうに伴って拡げられて内面部３と外面部４との重なりが解放された脚部開口８とされている。その内面部３にはその一辺９aであってその上方に、受診者が両脚を閉じた状態で外面部４により被覆されかつ両脚を横に拡げるに伴って、図２に示すように外面部４から漸次露呈して下腹部の恥部を隠蔽する位置に移動する下腹部隠蔽片１０が折り返し可能又は折り曲げ可能に設けられている。ここでは、その下腹部隠蔽片１０は後述するスカート形成用布に縫合されている。その下腹部隠蔽片１０は露呈したとき恥部を隠蔽できる程度の所望の大きさとされている。その下腹部隠蔽片１０の形状は、その下腹部隠蔽片１０が外面部４から露呈した状態で、スカート全体を逆さまにして見たとき花が開いた状態に見えるような形状とされている。
【００２５】
そのスカート１には、図３（ａ）に拡大して示すように、内面部３と下腹部隠蔽片１０との間に細長い切り込み１１が入れられている。その下腹部隠蔽片１０を引っ張ると、図３（ｂ）に示すように切り込み１１の部分が拡げられて下腹部隠蔽片１０の切り込み箇所の変形の自由度が増し、下腹部隠蔽片１０の下腹部へのフィット、すなわち、下半身への密着の容易化が図られる。
【００２６】
そのスカート１の後側下方部分は、受診者が診察台に上って着座した際にその臀部に敷くことができる程度の余裕をもたせてあり、診察台に置かれている既存の使い捨て用の敷物の代替としても用いることができる。
【００２７】
このスカート１は、図４に示すように一辺９aと他辺９ｂとが下方に向かうに伴って互いに近づく方向に湾曲する湾曲形状の輪郭線を有するスカート形成用布１２を用いて製作される。このスカート形成用布１２の素材には例えば不織布が用いられる。そのスカート形成用布１２はその上辺９ｃが折り返されて、紐状体５を挿通するための折り返し部１３が形成される。
【００２８】
このスカート形成用布１２は中央線部１４を境に左方と右方とに仮想重ね合わせ線１５a、１５ｂが設けられる。この仮想重ね合わせ線１５a、１５ｂはあらかじめスカート形成用布１２に線引きしておいても良いし、後から折り目を設けることにより形成しても良い。
【００２９】
そのスカート形成用布１２は、その中央線部１４を含めてその近傍部分が後側とされる。また、そのスカート形成用布１２は、左方の仮想重ね合わせ線１５aから一辺９aまでの間が左辺部１６aとされ、右方の重ね合わせ線１５ｂから他辺９bまでの間が右辺部１６ｂとされる。ここでは、その左辺部１６aの一辺９aの上方に下腹部隠蔽片１０が縫合されている。その左辺部１６aとその右辺部１６ｂとは仮想重ね合わせ線１５a、１５ｂ同士が互いに重なり合わされて、スカート形成用布１２はその重なり部分が前側とされる。その下腹部隠蔽片１０と左辺部１６aとの間にはあらかじめ切り込み１１が設けられる。
【００３０】
そのスカート形成用布１２の下辺９ｄには中央線部１４に向かうに伴ってなだらかに湾曲する左右対称の輪郭線を有する切り欠き部１７が形成されている。女性らしいやさしいイメージをスカート１にもたせるためである。そのスカート形成用布１２は、左辺部１６aと右辺部１６ｂとを仮想重ね合わせ線１５a、１５ｂを重ね合わせることにより、前側が重なり合わされた寸胴形状体１８が図５に示すように形成される。
【００３１】
その寸胴形状体１８は、紐状体５を折り返し部１３に挿通する前はウエスト部開口６と脚部開口８とが略同一サイズである。その紐状体５を折り返し部１３に挿通すると、図１に示すように、ウエスト部開口６が脚部開口８よりも狭められてかつスカート１をはく前の状態で下腹部隠蔽片１０が外面部４に隠蔽されたスカート１が形成される。ギャザー７はその折り返し部１３に紐状体５を挿通する際に形成される。
【００３２】
この発明の実施の形態に係わるスカート１によれば、下半身に衣類を身につけない状態でスカート１をはき、両脚を閉じている状態では下腹部隠蔽片１０は図１に示すように外面部３により被覆されているため、一見して普通の市販用のスカートと変わらないような印象を与える。
【００３３】
このスカート１をはいた状態で、不用意に両脚を横に開いたとき、診察を受ける際に両脚を横に開いたときには、下腹部隠蔽片１０が両脚を横に拡げるに伴って外面部４から漸次露呈して下腹部の恥部を隠蔽する位置に移動する。従って、下腹部の恥ずかしい部分がむやみに露呈するのを防止でき、診察を受ける際に下半身が人目に触れるのを極力避けることができる。
【００３４】
また、診察の際に、医師はその必要に応じて下腹部隠蔽片１０に手を差し延べてこれを下側に押し込むように折り返すか又は折り曲げることにより、図６に示すように、内面部３に除けて恥部から外しておくことができ、診察の際にさほどの邪魔となるのを防止できる。
【００３５】
更に、このスカート１は、製造コストさえ折り合えば使い捨てとすることもできる。
【００３６】
以上、この実施例では、図４に示すように、女性らしいやさしいイメージをスカート１に持たせるためにスカート形成用布片１２の左右方向の両辺９a、９ｂが下方に向かうに伴ってなだらかに湾曲する輪郭線を有するものを用いたが、スカート形成用布片１２には、図７に示すように、上辺９ｃに対して下辺９ｄが短い略台形状のものを用いても良い。
【００３７】
図８は本発明に係わるスカート形成用布片１２の他の実施例を示すもので、ここでは、スカート形成用布片１２は略長方形状に形成され、下腹部隠蔽片１０はその右辺部９ｂであってその上方に右辺９ｂから連続して移行するように形成されている。
【００３８】
この図８に示すスカート形成用布片１２を用いる場合、図９に示すように、右辺部１６ｂが内面部３となるようにしかつ左辺部１６aが外面部４となるようにして、しかも、ウエスト部開口６となる寸胴形状体１８を形成した後、折り曲げ部１３に紐状体５を通すことにより、図１０に示す形状のスカート１が製作される。
【００３９】
このスカート１の場合、右辺部１６ｂが内面部３とされ、左辺部１６aが外面部４となる。
【００４０】
実施例では、紐状体として糸状ゴムを用いたものについて説明したが、平ゴム、ひも等を用いても良い。
【産業上の利用可能性】
【００４１】
このスカート１に係わる発明は、介護用サービス業、エステティックサービス業、衣類製造業、その他産業分野にも利用され得る。
【図面の簡単な説明】
【００４２】
【図１】本発明に係わるスカートの外観図である。
【図２】本発明に係わるスカートの外観図であって、下腹部隠蔽片が露呈した状態を示す図である。
【図３】図１に示す切り込み部分の部分拡大図であって、（a）は切り込み部分が広がっていない状態を示す図、（ｂ）は切り込み部分が広げられている状態を示す図である。
【図４】図１に示すスカートに用いるスカート形成用布の展開図である。
【図５】図４に示すスカート形成用布を用いて寸同形状体を形成した状態を示す外観図である。
【図６】図２に示すスカートを大腿部に向けて折り曲げた状態を示す図である。
【図７】図４に示すスカート形成用布の他の形状を示す展開図である。
【図８】図４に示すスカート形成用布の更に他の形状を示す展開図である。
【図９】図８に示すスカート形成用布を用いて製作される寸胴形状体の説明図である。
【図１０】図９に示す寸胴形状体に紐状体が通されて脚部開口が上方のウエスト部開口よりも広げられかつ下腹部隠蔽片が露呈されたスカートの外観図である。
【符号の説明】
【００４３】
１‥スカート
３‥内面部
４‥外面部
５‥紐状体
６‥ウエスト部開口
８‥脚部開口
１０‥下腹部隠蔽片
【図１】
2004204419.tif 000003
【図２】
2004204419.tif 000004
【図３】
2004204419.tif 000005
【図４】
2004204419.tif 000006
【図５】
2004204419.tif 000007
【図６】
2004204419.tif 000008
【図７】
2004204419.tif 000009
【図８】
2004204419.tif 000010
【図９】
2004204419.tif 000011
【図１０】
2004204419.tif 000012